(57)【要約】【課題】  従来の通常のプライヤにおけるカツタの位置は、その両ハンドルの支軸の回転中心から、その前部半径に、ハンドルに含まれるその軸受の前部外周の一定厚みを加えた距離を経てて形成されており、そのうえ、このカツタはその後部外周から放射状に開くので、この両カツタ間に電線を挟むと、先の発明でも説明した、この軸受前部外周とこの電線の後部外周間に、てこの作用における無効の間隙が起生し、その切断力を低下させる基礎原因となつていた。【解決手段】この発明は、この軸外にあるカツタを、両ハンドルに設けた径大軸受内に納め、更に、このカツタをその下部に設けたピニオンの上部に噛み合わせ、その下部にハンドルの上部内に設けた弯曲ラツクを噛み合わせ、このカツタを軸受の回転中心から平行に相対開閉させると同時に、このピニオンの介在により、その切断力が更に倍加してこの課題を満足させる。【選択図】図１
2009184098.tif 000002
【特許請求の範囲】
【請求項１】
右側キャツチャ（１）と、その左側ハンドル（２）の回転中心０より上方に開けたワイヤインサート（９ａ）を持つ下方部材のジスク（３）と、左側キャツチャ（５）と、その右側ハンドル（６）の回転中心０より上方に開けたワイヤインサート（９ｂ）を持つ上方部材のジスク（７）を一定巾開けて回転可能に組み合わせて形成した軸受（１０）内に、取り出し可能なカツタブロツク（３０）を納めた事を特徴とするシャフト  イン  カツテイングプライヤ。
【請求項２】
回転中心０より、上方に開けたワイヤインサート（９ｃ）持つ下方部材のジスク（１１ａ）と、この中心０より上方に開けたワイヤインサート（９ｄ）を持つ上方部材のジスク（１１ｂ）を固着する中央に開けたホール（１３）と、その上面（１５）と、その左右にロツク（１４ａ）と（１４ｂ）を納め、この両ジスク（１１ａ）と（１１ｂ）に支持される軸（１８）に通したこのホール（１３）に納まるピニオン（１９ａ）、（１９ｂ）と、この上面（１５）の右方に形成した下面（１６ｂ）と、垂直左面（２０）を持つジスク（１１ｂ）の右方内面に固着したロツク（２１）と、この上面（１５）の左方に形成した下面（１６ａ）と、垂直右面（２２）を持つジスク（１１ｂ）の右方内面に固着したロツク（２３）と、この上面（１５）とロツク（２１）の下面（１６ｂ）間のスライド溝（１７）に挿入した、下方のピニオン（１９ａ）に噛み合うラツク（２５）を刻んだスライドアーム（２４）の左上部に設けた垂直の右向きカツタ（２６）と、この上面（１５）とロツク（２３）の下面（１６ａ）間のスライド溝（１７）に挿入した、下方のピニオン（１９ｂ）に噛み合うラツク（２８）を刻んだスライドアーム（２７）の左上部に設けた垂直の左向きカツタ（２９）とを一体化させ請求項１記載の軸受（１０）に納まるカツタブロツク（３０）。
【請求項３】
上面の右方の軸（３３）に、回転可能に支持される右ハンドル（６）の上部内に挿入した、軸受（１０）内のカツタブロツク（３０）に納まる上方のピニオン（１９ｂ）に噛み合うラツク（３２）を持つ弯曲アーム（３１）と、このアームに通した固定捩子（３４）と、上面の左方の軸（３７）に、回転可能に支持される左ハンドル（２）の上部内に挿入した、軸受（１０）内の上記カツタブロツク（３０）に納まる下方のピニオン（１９ａ）に噛み合うラツク（３６）を持つ弯曲アーム（３５）と、このアームに通した固定捩子（３８）とからなる請求項２記載のカツタ（２６）と（２９）の駆動装置。
【発明の詳細な説明】
【技術分野】
【０００１】  この発明は、電線の切断工具であるプライヤの改良に関する。
【背景技術】
【０００２】  電線の切断工具である従来の通常プライヤのカツタは、その一定半径の軸を支えるハンドルの軸受の前部外周を経て形成されていた。
【発明の開示】
【発明が解決しょうとする課題】
【０００３】  近年において、住宅等の配線は空調機器、ＩＨ調理機等の高負荷設備が増加し、その幹線には、最大３８ｓｑ×３芯ケーブル等が使用され、この径大ケーブルの切断には、カクタス（米国商品名）、其の他の手動、または電動の専用のカツタ工具が使用されているのであるが、これ等の芯線である３８ｓｑ等の径大ＩＶ線をこのカツタで切断するには重量もあり形状も大きく作業不便であり、また、２，６×３芯等の巾広いＦケーブルの切断には、専用の偏心プライヤがあるが、これ等の線も共に容易に切断できる通常に近い形状の切断工具の出現が期待されていた。
【課題を解決するたの手段】
【０００４】この解決に近接する、先の国内特許３４７６５２号、米国特許６２１６３７Ｂ１号、国際出願ＰＣＴ／ＪＰ８／００２２５号、等の先行発明を成したのであるが、更に、この手動工具においての切断力の強化と、切断径の拡大を目標とし、これを新視点から追求して実現させようとる。
【発明の効果】
【０００５】  このプライヤの径大軸受の回転中心０よりハンドル端までを１７０ｍｍとし、弯曲ラツクまでを２１ｍｍとすると、その比率は１７０／２１で、この実施例に示す１４ｍｍ徑の６０ｓｑＩＶ線の切断の場合、５ｋｇで把握すると、その８倍の４０ｋｇがこのラツクに加わり、
更に、このラツクに噛み合う７ｍｍ半径のピニオンが、このハンドルの回転中心０より２１／７の位置にあって４０ｋｇ×３倍となり、これと同寸法にした従来通常プライヤの２，５倍の１２０ｋｇの強力な切断力が得られると同時に、この径大６０ｓｑのＩＶ線、または、２，６＊３芯等の巾広いＦケーブルにおいても、これらの電線を従来のプライヤと根本的に異なる支点から挟み得る機能と、両カツタがこの支点から平行に開閉する画期的機能が発生する軸受内周に接して設けたピニオン自身による切断力の倍加効果に、更に作用距離における無効分が完全に排除され、それに  カツタブロツクが両ハンドルを開いて交換可能なので、その消耗と、そのカツタ機種の変更にも対応できる。
【発明を實施するための最良の形態】
【０００６】従来プライヤの支軸外に設けていたカツタを、交叉した左右ハンドルの回転中心に設けて径大化させた軸受内に納め、このカツタの下部に、ピニオンを噛み合わせると共に、このこのピニオンの下部に、下方のハンドルに設けた弯曲ラツクを噛み合わせて、このカツタをハンドルの回転中心より平行開閉させる事によつて切断する。
【實施例】
【０００７】  １頁の図１〜３に示す、右側キヤツチャ（１）と、その相対下部の背面（２ａ）で折り曲げ２面にした左ハンドル（２）間の回転中心０より上方に、一定巾のワイヤインサート（９ａ）が開く径大ジスク（３）を形成した下方部材の、この中央のジスク（３）の上面に一定巾をおいて、左側キャツチャ（５）と、その相対下部の背面（６ａ）で折り曲げ、２面にした右ハンドル（６）間の回転中心０より上方に、一定巾のワイヤインサート（９ｂ）が開く径大ジスク（７）を形成した上方部材の、このジスク（７）を回転可能に重ね合わせ、この下方のジスク（３）と上方のジスク（７）とで、両面閉鎖状の径大軸受（１０）を形成する。
次に、図３から２頁の図４〜６に示す、中心０より上方に一定巾のワイヤインサート（９ｃ）が開く一定径のジスク（１１ａ）と、ワイヤインサート（９ｄ）が開くジスク（１１ｂ）を一定巾開けて並列し、その間に水平上面（１５）に接する中央に一定径のホール（１３）を開け、その左右に形成した両ジスクを固着するロツク（１４ａ）と、（１４ｂ）を挟み、このホール（１３）に、ピニオン（１９ａ）と（１９ｂ）を挿入して両ジスクに支持される軸（１８）に通す。
それから、この上面（１５）に一定巾のスライド溝（１７）を開けて、その右方上部に下面（１６ｂ）と、垂直左面（２０）を持つサイドロツク（２１）を、上記ジスク（１１ｂ）の右側内面に固着し、その左方上部に下面（１６ａ）と、垂直右面（２２）を持つサイドロツク（２３）を、ジスク（１１ａ）の左側内面に固着する。
次に、上記スライド溝（１７）の左寄りに、下方のピニオン（１９ｂ）に噛むラツク（２５）と、その左上部に設けた右向きの垂直カツタ（２６）を持つアーム（２４）を挿入し、その右寄りに、下方のピニオン（１９ａ）に噛むラツク（２８）と、その右上部に設けた左向きの垂直カツタ（２９）を持つアーム（２７）を挿入し、各部材を一体化したカツタブロツク（３０）を形成する。なお、このカツタは弯曲化させる場合いもある。
それから、右ハンドル（６）の上部の左方（６ｂ）の内面に、上部にラツク（３２）を刻み、右端に軸（３３）を通して回転可能にした弯曲アーム（３１）を納め、このアーム（３１）の左方に捩子軸（３４）を通して、この上部片（６ｂ）の内面に固定する。
それから、左ハンドル（２）の上部の右方（２ｂ）の内面に、上部にラツク（３６）を刻み、左端に軸（３７）を通して回転可能にした弯曲アーム（３５）を納め、このアーム（３５）の右方に捩子軸（３８）を通して、この上部片（２ｂ）の内面に固定する。
次に、上記径大軸受（１０）内に、カツタブロツク（３０）を挿入するのであるが、それには、両ハンドルを４０度開き、その両側内の弯曲アーム（３１）と、（３５）の各先端の固定捩子軸（３４）と（３８）を外して、この両アーム（３１）と（３５）を下げて、このブロツク（３０）を上記軸受（１０）内に、その下方から挿入した後、上方のピニオン（１９ｂ）に、右側の弯曲アーム（３１）を押し上げて、そのラツク（３２）を噛み合わせ、また、下方のピニオン（１９ａ）に、左側の弯曲アーム（３５）を押し上げて、そのラツク（３６）を噛み合わせた後、右側弯曲アーム（３１）をその左方の捩子穴に、上方の右ハンドル（６）の穴より、先の捩子（３４）を捩込んで固定し、左側弯曲アーム（３５）を、その右方の捩子穴に、上方の左ハンドル（２）の穴より捩子（３８）を捩込んで固定する。
なお、上記の軸受（１０）の下方のジスク（３）と、上方のジスク（７）の組み合わせにおいては、図７に示すこのジスク（３）では左回りに、ジスク（７）では右回りに、各対応する下部材のキャツチャ（１）の上部傾斜凹面の内周（４ａ）に、上部材の傾斜凸面（８ｂ）を、上方部材のキャツチャ（５）の下部傾斜凹面の内周（８ａ）に、下部材の傾斜凸面の外周（４ｂ）を、下部材のハンドル（２）の上部の内周（４ｃ）に、上部材の外周（８ｄ）を、上部材のハンドル（６）の下方内周（８ｃ）に、下部材の外周（４ｄ）を、それぞれ挿入して回転可能に組み合わせる。
それから、この両ハンドルが閉じる時、右ハンドル（６）のラツクを含む左辺（６ｂ）が進入するので、左ハンドル（２）の左上部域（２ｃ）は盛り上げ形成し、同様に、右ハンドル（６）の上部内域（６ｃ）も左ハンドル（２）の右辺（２ｂ）が進入するので盛り上げ形成する。
【発明の作用】
【０００８】  ハンドル（２）と（６）を４０度開くと、軸受（１０）内の上方のピニオン（１９ｂ）は、右ハンドル（６）の弯曲アーム（３１）のラツク（３２）によって左回転し、その上部に噛む水平アーム（２４）は、ジスクロツク（１４ａ）と（１４ｂ）の上面（１５）と右側のサイドロツク（２１）の下面（１６ｂ）間のスライド溝（１７）を後退して、左側垂直カツタ（２６）を中心線Ｙ−Ｙより７ｍｍ左方に開ける。また、同時に下方のピニオン（１９ａ）は、左ハンドル（２）の弯曲アーム（３５）のラツク（３６）によつて右回転し、その上部に噛む水平アーム（２７）は、同様に上記した上面（１５）と左側のサイドロツク（２３）の下面（１６ａ）間のスライド溝（１７）を後退して、その上部の右側垂直カツタ（２９）を中心線Ｙ−Ｙより７ｍｍ右方に開ける。そこで、この１４ｍｍ間開いたワイヤインサート（９）に、６０ｍｍ２の径大ＩＶ線を挿入すると、その下方外周は、この回転中心０に完全接觸する。そこで、両ハンドルを把握すると、この電線は一度で容易に切断され、また２，６×３芯、２，０×４芯等の巾広いＦケーブルもこの平行する両カツタ間に挟むと、同様に一度で切断される。
なお、この両カツタの相反する作動状態は、水平下面（１５）と、その上部左方の軸支持プレート（１１ａ）に設けたサイドロツク（２３）の下面（１６ａ）と、上部右方の軸支持プレート（１１ｂ）に設けたサイドロツク（２１）の下面（１６ｂ）との案内によってその上下両者間をスムーズに作動する。それから、この軸受（１０）内のカツタブロツク（３０）の垂直姿勢は、両ハンドルが閉じる時、その両側の垂直下側面１２ａ）と（１２ｂ）が、この両ハンドルの上部内背面（２ｄ）と（６ｄ）の両方からの挟接圧によつて保持される。
それから、上記左右のカツタ（２３）と（２８）を交換するには、両ハンドルを開きその両上部表面の右方の捩子（３８）と、左方の捩子（３４）を外して、両弯曲アームを下方に開き、このカツタブロツク（３０）を引き出してから、その中の両方のカツタをそれぞれ、左右に引き出す。
【図面の簡単な説明】
【０００９】
【図１】‥‥‥‥‥‥‥‥ハンドルを全開した正面図
【図２】‥‥‥‥‥‥‥‥〃    Ｙ−Ｙ間の縦断面図
【図３】‥‥‥‥‥‥‥‥〃    Ｘ−Ｘ間の横断面図
【図４】‥‥‥‥‥‥‥‥ハンドルを全開した裏面図
【図５】‥‥‥‥‥‥‥カツタブロツク３０の上部図
【図６】‥‥‥‥‥‥‥〃                  下部図
【符号の説明】
【００１０】              主要部材
１          右キヤツチャ            ２１        サイドロツク
２          左ハンドル              ２２        垂直右面
３          下部ジスク              ２３        サイドロツク
４          ３の外周                ２４        カツタアーム
５          左キャツチャ            ２５        ラツク
６          右ハンドル              ２６        左側カツタ
７          上部ジスク              ２７        カツタアーム
８          ７の外周                ２８        ラツク
９ａ〜ｄ    ワイヤインサート        ２９        右側カツタ
１０ａ      径大軸受                ３０ａ      カツタブロツク上部材
１１ａ〜ｂ  軸支持プレート          ３０ｂ      〃            下部材
１１ａ〜ｂ  軸支持プレート          ３１        右弯曲アーム
１２ａ〜ｂ  プレート下側面          ３２        ラツク
１３        ピニオンホール          ３３        回転軸
１４ａ〜ｂ  プレート１１のロツク    ３４        固定捩子
１５        スライド溝上面          ３５        左弯曲アーム
１６ａ〜ｂ  下面                    ３６        ラツク
１７        スライド溝              ３７        回転軸
１８        ピニオン軸              ３８        固定捩子
１９ａ〜ｂ  ピニオン                ３９        キャツチャ開口（４０度）
２０        垂直左面                ４０        ＩＶ線（６０ｓｑ）
【００１１】  図７
上部材  ジスク（７）                下部材  ジスク（３）
８ａ        左上部の凹面外周        ４ａ        右上部の凹面外周
８ｂ        右上部の凸面外周        ４ｂ        左下部の凸面外周
８ｃ        右下部の凹面外周        ４ｃ        左下部の凹面外周
８ｄ        左下部の凸面外周        ４ｄ        右上部の凸面外周
【図１】
2009184098.tif 000003
【図３】
2009184098.tif 000004
【図４】
2009184098.tif 000005
【図５】
2009184098.tif 000006
【手続補正書】
【提出日】平成20年6月6日(2008.6.6)
【手続補正１】
【補正対象書類名】明細書
【補正対象項目名】００１０
【補正方法】変更
【補正の内容】
【００１０】（図１，２，３，４，−  ６，７）
１          右キャツチャ            ２１        サイドロツク
２          左ハンドル              ２２        垂直右面
３          下部ジスク              ２３        サイドロツク
４          ３の外周                ２４        カツタアーム
５          左キャツチャ            ２５        ラツク
６          右ハンドル              ２６        左側  カツタ
７          上部ジスク              ２７        カツタアーム
８          ７の外周                ２８        ラツク
９ａ〜ｄ    ワイヤインサート        ２９        右側カツタ
１０ａ      径大軸受                ３０ａ      カツタブロツク上部
１１ａ〜ｂ  軸支持プレート          ３０ｂ      カツタブロツク下部
１２ａ〜ｂ  プレート下側面          ３１        右弯曲アーム
１３        ピニオンホール          ３２        ラツク
１４ａ〜ｂ  プレート１１のロツク    ３３        回転軸
１５        スライド溝上面          ３４        固定捩子
１６ａ〜ｂ  下面                    ３５        左弯曲アーム
１７        スライド溝              ３６        ラツク
１８        ピニオン軸              ３７        回転軸
１９ａ〜ｂ  ピニオン                ３８        固定捩子
２０        垂直左面                ３９        キャツチャ開口（４０度）
４０        ＩＶ線（６０ｓｑ）
【手続補正２】
【補正対象書類名】明細書
【補正対象項目名】００１１
【補正方法】変更
【補正の内容】
【００１１】（図５）
上部ジスク７                        下部ジスク３
８ａ        左上部の凹面外周        ４ａ        右上部の凹面外周
８ｂ        右上部の凸面外周        ４ｂ        左下部の凸面外周
８ｃ        右下部の凹面外周        ４ｃ        左下部の凹面外周
８ｄ        左下部の凸面外周        ４ｄ        右上部の凸面外周
【手続補正書】
【提出日】平成20年6月6日(2008.6.6)
【手続補正１】
【補正対象書類名】明細書
【補正対象項目名】０００９
【補正方法】変更
【補正の内容】
【０００９】
【図１】  ハンドルを全開した正面図
【図２】  ハンドルＸ−Ｘ間の横断面図
【図３】  ハンドルＹ−Ｙ間の縦断面図
【図４】  ハンドルを全開した裏面図
【図５】  ハンドルを全閉した正面図
【図６】  上面カツタブロツク３０ａの正面図
【図７】  下面カツタブロツク３０ｂの正面図
【手続補正２】
【補正対象書類名】図面
【補正対象項目名】全図
【補正方法】変更
【補正の内容】
【図１】
2009184098.tif 000007
【図２】
2009184098.tif 000008
【図３】
2009184098.tif 000009
【図４】
2009184098.tif 000010
【図５】
2009184098.tif 000011
【図６】
2009184098.tif 000012
【図７】
2009184098.tif 000013